(57)【要約】【課題】、紙幣払出口から排出される紙幣の突出方向を下方に規制し、更に紙幣カバーの形状、支持構造等を工夫することによって、片手による紙幣取り出しを可能とし、払い出された紙幣の視認性を向上し、更に風によって発生するカバーの開閉音を解消することができる金銭取扱い装置を提供する。【解決手段】装置外装体３に開口形成されて紙幣を装置外部に払い出す紙幣払出口４と、該紙幣払出口に対して内側から紙幣を供給する排紙ローラ１２を備えた紙幣ユニット１１と、を備え、装置外装体の紙幣払出口上部に設けたヒンジ部３１により、少なくとも一部が透明な紙幣カバー３０が上下方向へ回動自在に支持されて紙幣払出口を開閉するように構成されており、紙幣カバーが閉止位置にある時に、該紙幣カバーは、排紙ローラから排紙されてきた紙幣が垂れ下がるようにガイドするように構成されている。【選択図】  図１
2007133785.tif 000002
【特許請求の範囲】
【請求項１】
装置外装体に開口形成されて紙葉類を装置外部に排出する紙葉排出口と、該紙葉排出口に対して内側から紙葉類を供給する排紙ローラを備えた紙葉ユニットと、を備え、
前記装置外装体の紙葉排出口上部に設けたヒンジ部により、少なくとも一部が透明なカバーが上下方向へ回動自在に支持されて前記紙葉排出口を開閉するように構成されており、
前記カバーが閉止位置にある時に、該カバーは、前記排紙ローラから排紙されてきた紙葉類が垂れ下がるようにガイドするように構成されていることを特徴とする紙葉類取扱い装置。
【請求項２】
装置外装体に開口形成されて紙幣を装置外部に払い出す紙幣払出口と、該紙幣払出口に対して内側から紙幣を供給する排紙ローラを備えた紙幣ユニットと、を備え、
前記装置外装体の紙幣払出口上部に設けたヒンジ部により、少なくとも一部が透明な紙幣カバーが上下方向へ回動自在に支持されて前記紙幣払出口を開閉するように構成されており、
前記紙幣カバーが閉止位置にある時に、該紙幣カバーは、前記排紙ローラから排紙されてきた紙幣が垂れ下がるようにガイドするように構成されていることを特徴とする金銭取扱い装置。
【請求項３】
前記紙幣カバーの下端縁には凹所を切欠き形成し、該凹所内に前記紙幣払出口から垂れ下がった状態で停止した紙幣の一部が露出するように構成されていることを特徴とする請求項２に記載の金銭取扱い装置。
【請求項４】
前記ヒンジ部に、前記紙幣カバーを閉止方向に付勢する弾性部材を設けたことを特徴とする請求項２又は３に記載の金銭取扱い装置。
【請求項５】
閉止時に前記紙幣カバーが当接する装置外装体部分、或いは装置外装体部分と当接する紙幣カバー部分に、ダンパーを配置したことを特徴とする請求項２、３又は４に記載の金銭取扱い装置。
【請求項６】
前記紙幣カバーと前記装置外装体との両当接部分に、磁力による吸着手段を配置したことを特徴とする請求項２乃至５の何れか一項に記載の金銭取扱い装置。
【発明の詳細な説明】
【技術分野】
【０００１】
本発明は、自動販売機、両替機、金銭払出装置、精算機等の金銭取扱い装置や、各種チケット等の紙葉類を取り扱う装置に装備される払出口を開閉するカバーの改良に関する。
【背景技術】
【０００２】
セルフ給油方式を採用したガソリンスタンドでは、更なるコスト低減を図るために複数の給油機に対して、単数又は少数の精算機を別構成にして設置したシステムを採用することが多い。この給油システムにおいては、利用者が給油機の金銭投入口に金銭を投入してから給油操作を行った際に釣銭がある場合においても、給油機自体からは釣銭は払い出されず、釣銭に関する情報をバーコードにより記録したレシートを給油機から発行する。釣銭の払出しは、給油機から離間した箇所に別途設置された精算機により行われる。
利用者は精算機のレシート挿入口内にレシートを挿入して、挿入口内に配置されたバーコードリーダからの検知用のレーザ光をレシートのバーコード部分に照射させることによって釣銭に関する情報の読取りを受ける。精算機側では、レシート上のバーコードから読取った釣銭情報に基づいて払出口に釣銭を払い出す。このように給油機毎に精算機を設けずに、複数の給油機に共通する一台、或いは少数の精算機によって釣銭を払い出すように構成することによって、給油機の装置構成を簡略化すると共に管理手数を低減して、コストダウンを図ることが可能となる（特許文献１、２）。
図３（ａ）は精算機の外観図（正面図）であり、この精算機は、機器本体１の前面に開閉自在なドア（外装体）２を備え、このドア２の前面にはレシート挿入口３、紙幣払出口４、硬貨払出口５、払出し金額等の表示部６等が装備されている。
図３（ｂ）はドアを開放した時に露出する機器本体１の内部構成を示しており、レシート挿入口３の直上に相当する位置にはバーコードリーダ１０が配置され、紙幣払出口４の内側に相当する位置には紙幣払出口に払出し用の紙幣を供給する紙幣ユニット（金銭払出装置）１１が配置され、硬貨払出口５の内側に相当する位置には硬貨払出口に払出し用の硬貨を供給する硬貨ユニット（金銭払出装置）１５が配置されている。更に、機器本体１内には図示しない制御手段が配置されている。
【０００３】
図３（ｃ）は紙幣払出部Ａを構成する紙幣払出口及び紙幣ユニットの構成を示す側部断面図であり、ドア２に設けたスリット状の開口である紙幣払出口４の内部には紙幣ユニット１１側に設けた排紙ローラ１２が位置しており、排紙ローラ１２から水平に排出される（例えば、特許文献３）。紙幣払出口４の上方に相当するドア２の適所には紙幣カバー２０がヒンジ２１によって矢印で示す上下方向へ開閉自在に支持されている。紙幣カバー２０は図示のように紙幣払出口４から水平に突出した状態で停止している紙幣Ｐが雨水によって濡れることを防止するために設けられる。
図示のように紙幣払出口から一部が突出した紙幣を取り出す場合には、利用者は片手で紙幣カバー２０を上方に開放させつつ、他方の手で紙幣を引き抜くこととなる。しかし、両手を使わなければ紙幣を取り出すことができない構成は不便である。
また、従来の紙幣カバー２０は、利用者が払い出された紙幣を取り忘れたときに他者が取り忘れた紙幣に気づいて持ち去ることを防止するために、紙幣の存在がわかりにくい不透明としていることが多い。そのため、かえって利用者自身が払い出された紙幣に気づきにくくなり、取り忘れが発生し易い結果をもたらす。
また、紙幣カバー２０は点線で示すように上方に開放した位置から実線で示すように閉止した位置まで回動するが、閉止位置では紙幣カバーの一部が外装体側に設けた図示しないストッパに当接することにより閉止状態が維持される。従って風によって紙幣カバーがパタパタと開閉を繰り返す場合には、開閉音（衝突音）が発生し耳障りである。
【特許文献１】特開平８−１１９３９６号公報
【特許文献２】特開２００５−４７５５８公報
【特許文献３】特開２００４−２８７５０５公報
【発明の開示】
【発明が解決しようとする課題】
【０００４】
上記のように従来の金銭取扱い装置にあっては、紙幣払出口からほぼ水平に紙幣を排出すると共に、水平姿勢に支持された紙幣の上方を覆うカバーを外装体により開閉自在に支持していたため、片手での紙幣取出しが困難であるばかりか、紙幣が払い出されていることが視覚的に確認しにくく取り忘れが発生し易かった。更に、紙幣カバーが風によって開閉動作を繰り返す際の開閉音が耳障りであるという問題があった。
本発明は上記に鑑みてなされたものであり、紙幣払出口から排出される紙幣の突出方向を下方に規制し、更に紙幣カバーの形状、支持構造等を工夫することによって、片手による紙幣取り出しを可能とし、払い出された紙幣の視認性を向上し、更に風によって発生するカバーの開閉音を解消することができる金銭取扱い装置、紙葉類取扱装置を提供することを目的としている。
【課題を解決するための手段】
【０００５】
上記目的を達成するため、請求項１の発明に係る紙葉類取扱装置は、装置外装体に開口形成されて紙葉類を装置外部に排出する紙葉払出口と、該紙葉払出口に対して内側から紙葉類を供給する排紙ローラを備えた紙葉ユニットと、を備え、前記装置外装体の紙葉払出口上部に設けたヒンジ部により、少なくとも一部が透明なカバーが上下方向へ回動自在に支持されて前記紙葉払出口を開閉するように構成されており、前記カバーが閉止位置にある時に、該カバーは、前記排紙ローラから排紙されてきた紙葉類が垂れ下がるようにガイドするように構成されていることを特徴とする。
請求項２の発明に係る金銭取扱い装置は、装置外装体に開口形成されて紙幣を装置外部に払い出す紙幣払出口と、該紙幣払出口に対して内側から紙幣を供給する排紙ローラを備えた紙幣ユニットと、を備え、前記装置外装体の紙幣払出口上部に設けたヒンジ部により、少なくとも一部が透明な紙幣カバーが上下方向へ回動自在に支持されて前記紙幣払出口を開閉するように構成されており、前記紙幣カバーが閉止位置にある時に、該紙幣カバーは、前記排紙ローラから排紙されてきた紙幣が垂れ下がるようにガイドするように構成されていることを特徴とする。
請求項３の発明は、請求項２において、前記紙幣カバーの下端縁には凹所を切欠き形成し、該凹所内に前記紙幣払出口から垂れ下がった状態で停止した紙幣の一部が露出するように構成されていることを特徴とする。
請求項４の発明は、請求項２、又は３において、前記ヒンジ部に、前記紙幣カバーを閉止方向に付勢する弾性部材を設けたことを特徴とする。
請求項５の発明は、請求項２、３又は４において、閉止時に前記紙幣カバーが当接する装置外装体部分、或いは装置外装体部分と当接する紙幣カバー部分に、ダンパーを配置したことを特徴とする。
請求項６の発明は、請求項２乃至５の何れか一項において、前記紙幣カバーと前記装置外装体との両当接部分に、磁力による吸着手段を配置したことを特徴とする。
【発明の効果】
【０００６】
以上のように本発明によれば、装置外装体の紙幣払出口（紙葉払出口）上部に設けたヒンジ部により、少なくとも一部が透明なカバーが上下方向へ回動自在に支持されて紙幣払出口を開閉するように構成し、更にカバーには紙幣（紙葉類）取り出し用の凹所を形成し、更にカバーに対する弾性付勢部材、衝突音防止用のダンパーを設けたので、片手による紙幣（紙葉類）取り出しを可能とし、払い出された紙幣（紙葉類）の視認性を向上して取り忘れを防止し、更に風によって発生するカバーの開閉音を解消することができる金銭取扱い装置、及び紙葉類取扱装置を提供することができる。
【発明を実施するための最良の形態】
【０００７】
以下、本発明を図面に示した実施の形態により詳細に説明する。
図１（ａ）及び（ｂ）は本発明の一実施形態に係る金銭取扱い装置に装備される紙幣払出部の構成を示す正面図、及び側部断面図であり、図２は紙幣払出部の斜視図である。なお、金銭取扱い装置の全体構成については図３を併せて参照する。
なお、本発明の装置構成は、紙幣のみならずチケット、その他の紙葉類を取り扱う装置一般に適用可能であるが、以下においては、金銭取扱い装置を中心に説明する。
本発明の金銭取扱い装置の構造は、紙幣払出部（紙葉類払出部）Ａの構造を除き、図３に示した従来の金銭取扱い装置とほぼ同等である。
この紙幣払出部Ａは、図３に示すように装置外装体としてのドア２に開口形成されて紙幣（紙葉類）Ｐを装置外部に払い出す紙幣払出口（紙葉排出口）４と、紙幣払出口４に対して内側から紙幣を供給する排紙ローラ１２を備えた紙幣ユニット（紙葉ユニット）１１と、を備えている。
図１に示した本発明の紙幣払出部Ａは、装置外装体としてのドア２の紙幣払出口４上部に設けたヒンジ部３１により、透明な紙幣カバー（カバー）３０の上部を上下方向へ開閉自在に軸支した構成を備えている。紙幣カバー３０が実線で示すような閉止位置にあるときには紙幣払出口４を閉止し、点線で示した開放位置にあるときには紙幣払出口４を開放した状態とする。
紙幣カバー３０は常時においては自重、或いはバネ付勢によって実線で示した閉止位置にあり、この状態で排紙ローラ（排出ローラ）１２によって紙幣Ｐが排出されてきた場合には、紙幣カバー３０はその内側面によって紙幣Ｐがドア２の外面に沿って垂れ下がるようにガイドするように構成されている。このように排出されてきた紙幣を下方に垂れ下がるように構成するためには、排紙ローラ１２による排紙方向を斜め下方へ向けると共に、紙幣カバー３０の内側面に紙幣が当接して押し下げられることによって確実に下方へ垂れ下がるように構成する。払い出された紙幣は、図示のように中間部適所を排紙ローラ１２によってニップされることによって停止した状態にあり、この時紙幣先端部は閉止状態にある紙幣カバー３０の下端縁よりも下方へ所定長突出した状態となっている。
【０００８】
本発明の紙幣カバー３０は、その下端縁適所（この例では中央部）に切欠き状の凹所３５を備え、凹所３５は紙幣払出口４から垂れ下がった状態で停止した紙幣Ｐの一部を露出させるように構成されている。従って、紙幣カバー３０を開放しなくても、片手の指（例えば親指）を凹所３５から差し入れて紙幣の表面側に触れると共に他の指（例えば人差し指）を紙幣の裏面側から差し込むことにより紙幣を片手の指だけで摘んで引き出すことができる。
また、紙幣カバー３０は少なくとも紙幣が通過する部分を透明材料にて構成することにより外観上から明らかに紙幣の存在を確認できるように構成するので、紙幣の見落としがなくなり、取り忘れがなくなる。特に、紙幣払出口から突出した紙幣の面の部分を紙幣カバーを通して目視確認できるので、その存在を見落とすことがなくなる。
また、紙幣カバー３０のヒンジ部３１に、紙幣カバーを閉止方向に付勢する弾性部材（例えばトーションバネ、コイルバネ）４０を設けることにより、紙幣取り出し前、及び紙幣取り出し後に紙幣カバー３０を確実に閉止させることができ、次の紙幣払出し動作に支障が生じることがなくなる。また、非払出時において、紙幣カバー３０は確実に閉止状態を維持できるので、風などによって紙幣カバー３０がパタパタと振動して耳障りな衝突音を発生することを防止できる。
或いは、紙幣カバー３０とドア表面との両当接部分に、磁力による吸着手段を配置することにより常時において紙幣カバー３０がドア面に閉止状態を維持し得るように構成してもよい。例えば、紙幣カバーの適所に磁性体を取付け、この磁性体と対応するドア部分に磁石を取り付けてもよいし、これとは逆の構造としてもよい。
弾性部材４０と磁石による吸着手段を併用することにより、マグネットの磁力が低下した場合にも紙幣カバー３０の閉止状態を維持させる力が激減することを防止できる。
また、紙幣を引き出して取り出す際に紙幣カバーに加わる開放方向への力により紙幣カバーが開放した後で紙幣の抜き取りが完全したときに、紙幣カバーが自重、弾性部材４０の付勢力、或いは磁石の力によって閉止方向へ戻される際に、ドア２の表面と衝突して衝撃音を発生させることを防止するために、閉止時に紙幣カバーが当接する装置外装体部分、或いは装置外装体部分と当接する紙幣カバー部分に、ダンパー５０を配置する。ダンパー５０としては、例えばゴムパッキン等を用いる。
【０００９】
このように本発明によれば、紙幣カバー３０の下端縁適所に切欠き状の凹所３５を備えたので、紙幣カバー３０を開放しなくても、片手の指によりワンアクションにて紙幣を取り出すことができる。
また、紙幣カバー３０の紙幣搬送経路に沿った部分が透明であるため、紙幣の存在を確認することができ、取り忘れの発生率が低減する。
また、紙幣カバー３０を閉止方向へ付勢する弾性部材を配置したり、磁石によって閉止状態を維持するようにしたので、風による開閉音がなくなる。
また、紙幣カバー３０が開放位置から閉止位置に移動する際に、紙幣カバーとドアとの当接部にダンパーを配置したので、衝突音の発生を防止できる。
なお、本発明の金銭取扱い装置による紙幣払出部の構成は、ガソリンスタンドに設置される精算機ばかりでなく、紙幣を払い出す機構を備えた金銭取扱い装置一般に適用することができる。
また、以上では、カバー構造の適用例として金銭取扱い装置の紙幣カバーを用いて詳細に説明したが、本発明は紙幣に限らずチケット、金券等の他の紙葉類一般を取り扱う装置についても適用可能である。例えば、プリンタ・ユニットから送り出されるチケットを排出口から排出する構成を備えた装置にも適用することができる。
【図面の簡単な説明】
【００１０】
【図１】（ａ）及び（ｂ）は本発明の一実施形態に係る金銭取扱い装置に装備される紙幣払出部の構成を示す正面図、及び側部断面図。
【図２】紙幣払出部の斜視図。
【図３】（ａ）は精算機の外観図（正面図）、（ｂ）はドアを開放した時に露出する機器本体１の内部構成を示す図、（ｃ）は紙幣払出部を構成する紙幣払出口及び紙幣ユニットの構成を示す側部断面図。
【符号の説明】
【００１１】
１…機器本体、２…ドア、３…レシート挿入口、４…紙幣払出口、５…硬貨払出口、６…表示部、１０…バーコードリーダ、１１…紙幣ユニット、１２…排紙ローラ、２０…紙幣カバー、２１…ヒンジ、３０…紙幣カバー、３１…ヒンジ部、３５…凹所、４０…弾性部材、５０…ダンパー。
【図１】
2007133785.tif 000003
【図２】
2007133785.tif 000004
【図３】
2007133785.tif 000005